(57)【要約】【課題】側溝等構築するブロックは、トラック等から下ろした状態では底版が上方にあるため、設置に際しては１８０°回動させなければならない。そしてその作業は従来非常に面倒であった。【解決手段】断面［Ｕ」字状である側溝用長尺コンクリートブロックを、その長手方向の両端で把持した後これを持ち上げ、該ブロックをその長手方向のほぼ中心軸を回転軸として１８０°回動させるための吊り具であり、長尺水平体と、該長尺水平体の両端からそれぞれ垂下するアーム体と、該アーム体下端近傍に設けられるブロック把持体とにより構成されるものであって、該アーム体は該長尺水平体に対して、該ブロック把持体は該アーム体に対してそれぞれ可回動に固定される。【選択図】  図１
2004210487.tif 000002
【特許請求の範囲】
【請求項１】
断面「Ｕ」字状である側溝用長尺コンクリートブロックを、その長手方向の両端で把持した後これを持ち上げ、該ブロックをその長手方向のほぼ中心軸を回転軸として１８０°回動させるための吊り具であり、長尺水平体と、該長尺水平体の両端からそれぞれ垂下するアーム体と、該アーム体下端近傍に設けられるブロック把持体とにより構成されるものであって、該アーム体は該長尺水平体に対して、該ブロック把持体は該アーム体に対してそれぞれ可回動に固定されているものであることを特徴とするコンクリートブロック吊り具。
【請求項２】
該ブロック把持体は、側溝底版部の厚さ部分を上下から挟む挟持突起と、側溝両側壁間に配置されその間隙距離を大きくする方向に拡張付勢される突っ張り部材とにより構成されるものである請求項１記載のコンクリートブロック吊り具。
【発明の詳細な説明】
【０００１】
【発明の属する技術分野】
本発明は、底版を上にして置かれている側溝用長尺コンクリートブロックを吊持するに際し、ブロックを持ち上げつつ底版が下になるように回動させる吊り具の構造に関するものである。
【０００２】
【従来の技術】
道路工事や軌道工事、特にこれらの新設工事において、プレキャストコンクリートブロックによって側溝を構築することがある。いわゆる側溝用コンクリートブロックである。基本的に断面は［Ｕ」字状であり、設置時天面は開放されている。開放されたままで完成ということもあるが、美観或いは安全上の要求から溝蓋が付加されることも多く、それに適合する構造となっている場合もある。
【０００３】
側溝構築作業は、設計通りに切られた溝穴を均し、ここにブロックを並べて進められる。そこで、搬送トラック等から先ず溝穴近くにブロックを吊り下ろして並べておき（第１回吊持）、次いでここからブロックを一個ずつ吊り上げて（第２回吊持）溝穴に落とし込むようにして設置連設してゆく。
【０００４】
そして搬送トラック等からは一般に、図５（ａ）のような方法でブロックが下ろされる。即ち、ブロックＢの両端にフックＨを掛け、フックＨ同士をつなぐワイヤーロープＲをクレーンフックＣで持ち上げるという方法である。ブロック一個ずつ下ろすということはほとんどなく、通常は図のように一度に二個、或いは図示はしないが同様の手法で三個、のブロックを下ろす。従って建築現場に載置されるブロックＢは、同図（ｂ）のように一対のブロック同士が接触した状態、或いは全てのブロックが接触した状態（図示せず）となる。
【０００５】
【発明が解決しようとする課題】
このようにして下ろされたブロックＢは、第１回吊持段階では必然的に底版Ａが上になる。底版Ａが上になること自体は、工事完了後に露呈することとなる側溝の底面や内壁を下向きにすることであるので露呈面の保護という観点では好適であるが、最終的には底版を下にして設置しなければならないので、第２回吊持作業において上下を逆にしてやる必要がある。
【０００６】
図６（ａ）（ｂ）は、従来行われている或いは提案されている手法を概略的に図示したものであり、ブロック側壁版外面中央付近対向位置に刻設した穴に軸材Ｘを嵌め込み、ここにフックＨを掛けて持ち上げ、この軸材Ｘを中心に図の矢印の如く回動させる方法［同図（ａ）］、ブロック側壁版の一方にフックＨを掛けこの側壁版が上になるようにして吊持し設置に際しては作業者が９０°回動させてやるという方法［同図（ｂ）］である。
【０００７】
しかし図６（ａ）の方法では、上下を逆にするためのブロックの動きが大きすぎて安全上問題があるし、ブロックの外側面に軸材Ｘを嵌め込みフックＨを掛けるという作業では隣接するブロックが接触しているという現状ではまず吊持しようとするブロックを他のブロックから離反させるという作業が別途不可欠となり能率が悪い。
【０００８】
また同図（ｂ）の方法はフックＨを掛けていない側の側壁版の端部を引きずることになるため角部が傷みやすいという欠点がある。更に、充分な幅を持たない溝穴の上方で人手によってブロックを９０°回動させてやるという作業は簡便でも安全でもない。
【０００９】
【課題を解決するための手段】
以上のような現状に鑑み、本発明者は鋭意研究の結果遂に本発明に係る吊り具を成したものでありその特徴とするところは、断面［Ｕ」字状である側溝用長尺コンクリートブロックを、その長手方向の両端で把持した後これを持ち上げ、該ブロックをその長手方向のほぼ中心軸を回転軸として１８０°回動させるための吊り具であり、長尺水平体と、該長尺水平体の両端からそれぞれ垂下するアーム体と、該アーム体下端近傍に設けられるブロック把持体とにより構成されるものであって、該アーム体は該長尺水平体に対して、該ブロック把持体は該アーム体に対してそれぞれ可回動に固定されている、点にある。
【００１０】
なおここで「断面Ｕ字状である側溝用長尺コンクリートブロック」とは、既述したように、底版と両側壁版が一体的に形成されたプレキャストコンクリートブロックである。また「側溝用」という語句は、ブロックの種類を表すための語句であり道路の縁に当該道路に沿って構築されるいわゆる側溝だけを対象としているわけではない、換言すると本発明吊り具による吊持の対象は狭義の「側溝」以外のものを含むものであり、道路を縦断する「横断溝」用のブロックその他への援用を除外するものではない。
【００１１】
「長尺水平体」は、吊持しようとするコンクリートブロックの上方に配置し、後述する「アーム体」や「ブロック把持体」を介してコンクリートブロックを吊持する棒状部材である。この長尺水平体には通常吊りワイヤーがわたされ、この吊りワイヤーをクレーンフックなどに引っ掛けて全体を吊持することとなる。但しこれら吊りワイヤーやクレーンフックの存在は本発明の必須要件ではなく代用可能な他の部材機材を使用しても良い。また長尺水平体の材料についても特に限定するものではないが、鋼材（アングルやチャンネル）は好適である。
【００１２】
「アーム体」は、長尺水平体の両端近傍にその一端が配置され、可回動に垂下する棒状部材である。回動の方向については、該長尺水平体を含む鉛直面に沿う面が回動面として含まれている必要があるが、これ以外（例えば円錐振り子のような挙動）であっても良いのでこの点については限定しないし、円錐振り子の如き挙動も「回動」の概念に属するものとする。要は、長尺水平体からある長さを以て垂下しており、吊持せんとするブロックの両端を多少の自由度を以て挟持できるものがアーム体である。
【００１３】
「ブロック把持体」は、アーム体の下端近傍に可回動に取設される部材でありこれがブロックに固定されることとなる。底版を上にした状態で把持されたブロックは、このブロック把持体に固定されたまま、ブロック長手方向を中心軸として１８０°回動することになる。把持の形態は特に限定するものではないが、特許請求の範囲２項に記載したように、側溝底版部の厚さ部分を上下から挟む挟持突起と、側溝両側壁間に配置されその間隙距離を大きくする方向に拡張付勢される突っ張り部材とにより構成されるものとすると、ブロック自体には把持用の穴や突起が必要でないため汎用の度合いが拡大するし、作業性も煩雑なものとはならず最適である。この場合、「挟持突起」の挟持幅を可変とすれば、底版の厚みについてはその製品寸法がさして精確ではないという現状によく合致するものであり又適応可能なブロックの種類もより多くなって好ましい。また「突っ張り部材」については何ら限定するものではない。
【００１４】
【発明の実施の形態】
以下図面に基づいて本発明をより詳細に説明する。
【００１５】
図１は、本発明に係るコンクリートブロック吊り具１（以下「本発明吊り具１」という）の一例を示すものであり、図より明らかなように本発明吊り具１は、長尺水平体２と、この両端に可回動に設けられるアーム体３と、このアーム体３下端近くを軸に可回動に設けられるブロック把持体４とにより構成される。本例では全て鋼製であって、長尺水平体２及びアーム体３の主体部分にはチャンネル（溝形鋼）を使用している。
【００１６】
長尺水平体２の上面両端近傍位置にはリング２１が固設されており、ここに吊りワイヤーＲが掛けられこの吊りワイヤーＲをクレーンフックＣで吊持するという形でブロック（図示せず）が持ち上げられることになる。
【００１７】
アーム体３の上端位置（長尺水平体２との連結箇所）には規制板３１が設けられており両アーム体３の不必要な拡開は規制されているが、内側への回動は全くフリーとなっている。この規制板３１は本例では二枚の三角形の板で長尺水平体２を挟み込み、両三角形板同士を上端側で連結一体化するという方法で形成しているが、他の構造としても良いし、或いは全く設けずとも大きな問題はない。
【００１８】
ブロック把持体４は、アーム体３の下端近傍に可回動に取設される部材であり本例のブロック把持体４は図２（ａ）及び（ｂ）に示す如き構造のものである。即ち上端にヒサシ状凸部４２とその下に凹部４３が設けられた細幅板状の把持基体４１に、ブロックの底版の厚さに適合させるため上下方向にスライドする二基の底版厚調整ネジ４４、及び左右方向にそれぞれ突出する一対の突っ張りジャッキ４５及びジャッキレバー４６が取設されて成る。従ってブロックは、一箇所は挟持、二箇所は突っ張りによって保持されることになる。なお図示は省略するが底版と同様に側壁版も挟持するようにし、底版と両側壁版の三箇所を把持する構造のブロック把持体としても良い。また同図（ａ）のジャッキレバー４６は、２本の突っ張りジャッキ４５の片方に取設されたものであり、これを回動させて伸縮させる構造のものである。もう片方の突っ張りジャッキ４５については、設置作業前に適当な長さにした上でダブルナットなどで伸縮しないように固定しておけば良い。図示した例のほか、例えばターンバックルの構造を利用するなどして各突っ張りジャッキ４５を同長ずつ伸縮させる構造のものも採用可能であり、これに限定するものでは勿論ない。
【００１９】
次に本発明吊り具１の使用方法の一例を図３（ａ）（ｂ）にて示す。図示した例で吊持しているのは一般的なＵ字形ブロックＢであり発明の内容を明確にするため図面には薄くスライスしたものが描出されているが実際には勿論何ら切断されていない。またこのブロックＢには本発明吊り具１のための加工は一切施されていない。
吊持作業は、長尺水平体２をブロックＢの真上に配置することから始める。次に全体を下降させ両方のアーム体３がブロックＢの両端を挟める位置まで移動させる。本例の場合、両アーム体３を鉛直方向に垂下させたときの両アーム体３同士の距離はブロックＢの長さに等しくなっているので、作業に当たっては、両アーム体３の内側に取設されているブロック把持体４の厚み分以上はアーム体３を広げながら設置する必要がある。
【００２０】
次にアーム体３をブロックＢに接触させる。このとき両アーム体３の内側に取設されているブロック把持体４は、一部ブロックＢの内部に嵌り込む。そして、図３（ａ）に示すように、ヒサシ状凸部４２と底版厚調整ネジ４４にてブロックＢの底版を挟み込み、ジャッキレバー４６を操作して突っ張りジャッキ４５にてブロックＢの両側壁を押圧する形で固定する。
【００２１】
この状態で本発明吊り具１を引き上げると、ブロックＢは自動的に１８０°回動し図３（ｂ）の如くその底版を下端位置にした状態で静止する。この自動的な回動は、ブロック把持体４とアーム体３の連結部でもある回動軸の位置によって決定されるものであるが、ブロックＢが［Ｕ」字形であってその重心位置が底版寄りに偏っているので設定は容易である。
【００２２】
このようにして底版が下端位置にきたブロックＢを本発明吊り具１にて吊持を保ったまま作業現場である溝穴内へ移動させても良いが、既設のブロックの端面と吊持している本発明吊り具１の端面とを突き合わせるにはブロック把持体４の存在が邪魔になり、施工が面倒になる可能性もあるので、ブロックＢを１８０°回動させた段階で一旦固定をほどき、図４のように両アーム体３を内側に回動させてブロックＢの内側で固定するようにしても良い。この場合、底版挟持を担当していたヒサシ状凸部４２と底版厚調整ネジ４４はいずれも機能しない。
【００２３】
【発明の効果】
以上詳細に説明したように本発明に係るコンクリートブロック吊り具は、断面［Ｕ」字状である側溝用長尺コンクリートブロックを、その長手方向の両端で把持した後これを持ち上げ、該ブロックをその長手方向のほぼ中心軸を回転軸として１８０°回動させるための吊り具であり、長尺水平体と、該長尺水平体の両端からそれぞれ垂下するアーム体と、該アーム体下端近傍に設けられるブロック把持体とにより構成されるものであって、該アーム体は該長尺水平体に対して、該ブロック把持体は該アーム体に対してそれぞれ可回動に固定されていることを特徴とするものであり、平伏せ状態（底版を上方にした状態）のブロックを吊り上げれば自動的に回動し底版が下に来るのでブロック設置作業が非常に簡便となるものである、その回動はブロックの長手方向を軸とするものであるので動きが小さく安全である、吊持後回動するものであるのでブロックを傷めることもない、ブロック自体には穴あけその他の加工は不必要である、等々の効果を有する極めて高度な発明である。
【図面の簡単な説明】
【図１】本発明に係るコンクリートブロック吊り具の一例を示す概略正面図である。
【図２】（ａ）（ｂ）は、本発明に係るコンクリートブロック吊り具のブロック把持体の構造の例を示すものであり、同図（ａ）は概略正面図、同図（ｂ）は概略側面図である。
【図３】（ａ）（ｂ）は、本発明に係るコンクリートブロック吊り具の使用方法の一例を示すいずれも概略斜視図である。
【図４】本発明に係るコンクリートブロック吊り具の使用方法の他の例を示す概略正面図である。
【図５】（ａ）（ｂ）は、トラック等からブロックを下ろす方法と下ろした状態を示すものであり、同図（ａ）は概略斜視図、同図（ｂ）は概略側面図である。
【図６】（ａ）（ｂ）はいずれもブロックを反転させるための吊持方法の従来例を示すものであり、ともの概略側面図である。
【符号の説明】
１    本発明に係るコンクリートブロック吊り具
２    長尺水平体
２１  リング
３    アーム体
３１  規制板
４    ブロック把持体
４１  把持基体
４２  ヒサシ状凸部
４３  凹部
４４  底版厚調整ネジ
４５  突っ張りジャッキ
４６  ジャッキレバー
Ｒ    吊りワイヤー
Ｃ    クレーンフック
Ｂ    ブロック
Ｘ    軸材
Ｈ    フック
Ａ    底版
【図１】
2004210487.tif 000003
【図２】
2004210487.tif 000004
【図３】
2004210487.tif 000005
【図４】
2004210487.tif 000006
【図５】
2004210487.tif 000007
【図６】
2004210487.tif 000008